(57)【要約】【課題】  粉末消火器へ詰め替え用の粉末消火薬剤の充填時に、粉末消火薬剤を周囲に撒き散らすおそれが無く、且つ容易に充填できる粉末消火薬剤収納袋を得る。【解決手段】  粉末消火器３に充填する粉末消火薬剤８を収納する粉末消火薬剤収納袋１であって、袋本体２の全部或いは一部を粉末消火器３における容器本体４の口金５の内径より細く、且つ容器本体４内に挿入される筒状体６で構成し、筒状体６の先端が粉末消火薬剤取り出し用の開封部７とすることにより、粉末消火薬剤８を袋本体２から容器本体４内に移す作業を、容器本体４内で行えるようにした。【選択図】  図２
2016182244.tif 000002
【特許請求の範囲】
【請求項１】
粉末消火器に充填する粉末消火薬剤を収納する粉末消火薬剤収納袋であって、袋本体の全部或いは一部が前記粉末消火器における容器本体の口金の内径より細く、且つ前記容器本体内に挿入される筒状体で構成されており、前記筒状体の先端が粉末消火薬剤取り出し用の開封部となっていることを特徴とする粉末消火薬剤収納袋。
【請求項２】
前記筒状体の長さは、前記粉末消火器の容器本体の深さの少なくとも半分以上の長さとなっていることを特徴とする請求項１に記載の粉末消火薬剤収納袋。
【発明の詳細な説明】
【技術分野】
【０００１】
本発明は、粉末消火器に充填する詰め替え用の消火薬剤を収納する粉末消火薬剤収納袋に関するものである。
【背景技術】
【０００２】
使用された粉末消火器は、再使用のために消火薬剤が再充填される。粉末消火器に再充填される詰め替え用の消火薬剤は、例えば、特許文献１に記載されているような柔軟性を有する合成樹脂製の粉末消火薬剤収納袋に収納されており、粉末消火容器への充填にあっては、一般に、図５に示すように、粉末消火薬剤収納袋１５の上部を切って開封し、粉末消火器１６の容器本体１７の口金１８に漏斗１９を取り付け、漏斗１９を介して粉末消火薬剤収納袋１５から粉末消火薬剤２０を容器本体１７に充填している。
【先行技術文献】
【特許文献】
【０００３】
【特許文献１】特開２０１１−７３６９２号公報
【発明の概要】
【発明が解決しようとする課題】
【０００４】
上記のように粉末消火薬剤収納袋１５に収納されている詰め替え用の粉末消火薬剤２０を粉末消火器１６の容器本体１７に漏斗１９を使用して充填する場合、漏斗１９に一度に大量の粉末消火薬剤２０を入れると、漏斗１９の管２１に粉末消火薬剤２０が詰まって容器本体１７内が密封された状態となり、漏斗１９の管２１内の粉末消火薬剤２０が崩れ漏斗１９の管２１の詰まりが解けた際に、容器本体１７内の空気が漏斗１９の管２１から一気に噴出し、これに伴って容器本体１７内や漏斗１９内にある粉末消火薬剤２０が外部へ吹き飛ばされ周囲に撒き散らされる場合があるといった問題があった。
【０００５】
本発明の目的は、粉末消火器へ詰め替え用の粉末消火薬剤の充填時に、粉末消火薬剤を周囲に撒き散らすおそれが無く、且つ容易に充填できる粉末消火薬剤収納袋を提供することにある。
【課題を解決するための手段】
【０００６】
上記の目的を達成するために、請求項１に記載の発明は、粉末消火器に充填する粉末消火薬剤を収納する粉末消火薬剤収納袋であって、袋本体の全部或いは一部が前記粉末消火器における容器本体の口金の内径より細く、且つ前記容器本体内に挿入される筒状体で構成されており、前記筒状体の先端が粉末消火薬剤取り出し用の開封部となっていることを特徴とする。
【０００７】
請求項１に記載の発明によれば、粉末消火器へ詰め替え用の粉末消火薬剤を充填する場合、前記袋本体の全部或いは一部を構成する前記筒状体の先端を切り取り等によって開封し、前記筒状体を前記容器本体内に挿入し、前記筒状体を前記容器本体から徐々に引き抜くといった作業により、粉末消火薬剤を前記容器本体内に容易に充填することができる。
そして、前記袋本体から前記容器本体内に移す作業は、前記容器本体内で行うので、粉末消火薬剤が容器本体から外部へ出ることは無く、また、従来の漏斗のような詰まりや、詰まりの崩壊による空気の噴出にともなう粉末消火薬剤の飛散といった現象を起こすおそれはない。
また、粉末消火薬剤の飛散といった現象を起こすおそれがないので、周囲環境の防護や清掃の必要がなくなり、また、漏斗を使用しないので、漏斗の準備や後片付けといった煩わしい作業の必要がなくなる。
【０００８】
請求項２に記載の発明は、請求項１に記載の、前記筒状体の長さは、前記粉末消火器の容器本体の深さの少なくとも半分以上の長さとなっていることを特徴とする。
【０００９】
請求項２に記載の発明によれば、請求項１に記載の、前記筒状体の長さは、前記粉末消火器の容器本体の深さの少なくとも半分以上の長さとなっているので、前記筒状体を前記容器本体内に挿入したとき、前記筒状体の先端を切り取り等によって開封した開封口は前記容器本体の底部或いは底部の近くに位置することになり、当該位置で開口する前記筒状体の開封口から流れ出た粉末消火薬剤が容器本体で拡散することは殆ど無く、粉末消火薬剤が容器本体の外に出ると言った事態をより確実に防止することができる。
【発明の効果】
【００１０】
本発明に係る粉末消火薬剤収納袋によれば、粉末消火器へ詰め替え用の粉末消火薬剤の充填時に、粉末消火薬剤を周囲に撒き散らすおそれが無く、これにより周囲環境の防護や清掃の必要がなくなり、また、漏斗を使用しないので、漏斗の準備や後片付けといった煩わしい作業の必要がなくなる。
【図面の簡単な説明】
【００１１】
【図１】本発明に係る粉末消火薬剤収納袋の実施の形態の第１例を示す概略正面図である。
【図２】第１例の粉末消火薬剤収納袋から粉末消火薬剤を粉末消火器に充填する状態を示す説明図である。
【図３】本発明に係る粉末消火薬剤収納袋の実施の形態の第２例を示す概略正面図である。
【図４】第２例の粉末消火薬剤収納袋から粉末消火薬剤を粉末消火器に充填する状態を示す説明図である。
【図５】従来の粉末消火薬剤収納袋から粉末消火薬剤を粉末消火器に充填する状態を示す説明図である。
【発明を実施するための形態】
【００１２】
以下、本発明に係る粉末消火薬剤収納袋の実施の形態を図面を参照して詳細に説明する。
図１、図２は本発明に係る粉末消火薬剤収納袋の実施の形態の第１例を示し、図１は第１例の粉末消火薬剤収納袋を示す概略正面図、図２は第１例の粉末消火薬剤収納袋から粉末消火薬剤を粉末消火器に充填する状態を示す説明図である。
【００１３】
第１例の粉末消火薬剤収納袋１は、袋本体２が粉末消火器３における容器本体４の口金５の内径より細く、且つ容器本体４内に挿入される筒状体６で構成されている。そして、筒状体６の一端側の先端が粉末消火薬剤取り出し用の開封部７となる。
【００１４】
袋本体２を構成する筒状体６の外径は、口金５の内径より小径であることを要し、筒状体６を口金５に挿入したとき、筒状体６と口金５との間に少なくとも１〜３ｍｍの隙間Ｓができる径であることが好ましい。
また、筒状体６の長さＬ１は、容器本体４の深さＬ２の少なくとも半分以上の長さであるることが好ましい。
本例では、筒状体６の長さＬ１は容器本体４の深さＬ２より長く形成されている。
このような筒状体６で構成される袋本体２は、ヒートシール可能な合成樹脂製フィルムで形成され、詰め替え用の粉末消火薬剤８を収納した後、開口部をヒートシールして密封されている。
【００１５】
このように構成された本例の粉末消火薬剤収納袋１に収納されている詰め替え用の粉末消火薬剤８を粉末消火器３における容器本体４に充填する場合、袋本体２を構成する筒状体６の一端側の開封部７となる先端を切り取り開封する。
そして、筒状体６を開封口９側から容器本体４内に、開封口９が容器本体４の底部に当接するまで挿入する。
【００１６】
この状態から、筒状体６を容器本体４から徐々に引き抜くことにより、筒状体６に収納されている粉末消火薬剤８が開封口９から流れ出て容器本体４内に移動する（図２参照。）。
このようにして粉末消火器３における容器本体４に粉末消火薬剤収納袋１に収納されている詰め替え用の粉末消火薬剤８が充填される。
【００１７】
このように本例の粉末消火薬剤収納袋１によれば、袋本体２を構成する筒状体６から粉末消火薬剤８を容器本体４内に移す作業は、容器本体４内で行うので、粉末消火薬剤８が容器本体４から外部へ出ることは無い。
【００１８】
図３、図４は本発明に係る粉末消火薬剤収納袋の実施の形態の第２例を示し、図３は第２例の粉末消火薬剤収納袋を示す概略正面図、図４は第２例の粉末消火薬剤収納袋から粉末消火薬剤を粉末消火器に充填する状態を示す説明図である。
【００１９】
第２例の粉末消火薬剤収納袋１０は、袋本体１１の一部が粉末消火器３における容器本体４の口金５の内径より細く、且つ容器本体４内に挿入される筒状体１２で構成されている。そして、筒状体１２の一端側の先端が、第１例と同様に、粉末消火薬剤取り出し用の開封部１３となる。
【００２０】
袋本体１１を構成する筒状体１２の外径は、第１例と同様に、口金５の内径より小径であることを要し、筒状体１２を口金５に挿入したとき、筒状体１２と口金５との間に少なくとも１〜３ｍｍの隙間Ｓができる径であることが好ましい。
また、筒状体１２の長さＬ３は、容器本体４の深さＬ２の少なくとも半分以上の長さであることが好ましい。
本例では、筒状体１２の長さＬ３は、第１例と同様に、容器本体４の深さＬ２より長く形成されている。
このような袋本体１１は、第１例と同様にヒートシール可能な合成樹脂製フィルムで形成され、詰め替え用の粉末消火薬剤８を収納した後、開口部をヒートシールして密封されている。
【００２１】
このように構成された本例の粉末消火薬剤収納袋１０に収納されている詰め替え用の粉末消火薬剤８を粉末消火器３における容器本体４に充填する場合、袋本体２の一部を構成する筒状体１２の一端側の開封部１３となる先端を切り取り開封する。
そして、筒状体１２を開封口１４側から容器本体４内に、開封口１４が容器本体４の底部に当接するまで挿入する。
【００２２】
この状態から、袋本体１１を引き上げ筒状体１２を容器本体４から徐々に引き抜くことにより、袋本体１１に収納されている粉末消火薬剤８が筒状体１２の開封口１４から流れ出て容器本体４内に移動する（図４参照。）。
このようにして粉末消火器３における容器本体４に粉末消火薬剤収納袋１０に収納されている詰め替え用の粉末消火薬剤８が充填される。
【００２３】
このように本例の粉末消火薬剤収納袋１０によれば、袋本体１１の一部を構成する筒状体１２から粉末消火薬剤８を容器本体４内に移す作業は、容器本体４内で行うので、粉末消火薬剤８が容器本体４から外部へ出ることは無い。
【符号の説明】
【００２４】
１、１０  粉末消火薬剤収納袋
２、１１  袋本体
３  粉末消火器
４  容器本体
５  口金
６、１２  筒状体
７、１３  開封部
８  粉末消火薬剤
９、１４  開封口
【図１】
2016182244.tif 000003
【図２】
2016182244.tif 000004
【図３】
2016182244.tif 000005
【図４】
2016182244.tif 000006
【図５】
2016182244.tif 000007